(57)【要約】【課題】  ホッパの内周面の掃除を容易にできるホッパ構造を得る。【解決手段】  ホッパ構造１０では、ホッパ１６の内周面を正面板１２の正面壁１８及び各内側壁２０と裏面板１４の裏面壁２６とが構成すると共に、ホッパ１６の正面壁１８及び各内側壁２０よりも外周側の壁をそれぞれ正面板１２の外壁２２及び裏面板１４の各外側壁２８が構成している。ここで、正面板１２の外壁２２と裏面板１４の各外側壁２８とが各クランプ３０によって装着されている。このため、ホッパ１６の内周面には正面板１２と裏面板１４との装着部が存在せず、ホッパ１６の内周面に付着した付着物を容易に除去でき、ホッパ１６の内周面の掃除を容易にできる。【選択図】      図１
0003109886.tif 000002
【実用新案登録請求の範囲】
【請求項１】
漏斗状のホッパを構成し、前記ホッパの内周面を構成する内周壁と前記ホッパの前記内周壁よりも外周側の部位を構成する外周部とを有する複数の構成部材と、
前記複数の構成部材をそれぞれの前記外周部において装着する装着手段と、
を備えたホッパ構造。
【請求項２】
前記内周壁に前記外周部を引っ掛けて取り付けた、ことを特徴とする請求項１記載のホッパ構造。
【請求項３】
前記内周壁に前記外周部を一体に形成した、ことを特徴とする請求項１又は請求項２記載のホッパ構造。
【請求項４】
前記装着手段を前記外周部に固定した、ことを特徴とする請求項１乃至請求項３の何れか１項記載のホッパ構造。
【請求項５】
前記外周部に設けられ、前記装着手段が係合される係合部を有する、ことを特徴とする請求項１乃至請求項４の何れか１項記載のホッパ構造。
【請求項６】
漏斗状のホッパを構成する複数の構成部材と、
前記複数の構成部材を装着し、前記複数の構成部材を離脱可能にされた装着手段と、
を備えたホッパ構造。
【請求項７】
前記装着手段は、操作されることで前記複数の構成部材を離脱可能にする、ことを特徴とする請求項６記載のホッパ構造。
【請求項８】
前記複数の構成部材は、それぞれ前記ホッパの底部を構成する、ことを特徴とする請求項１乃至請求項７の何れか１項記載のホッパ構造。
【請求項９】
前記複数の構成部材は、重ね合わされた状態で前記ホッパの周壁を構成する、ことを特徴とする請求項１乃至請求項８の何れか１項記載のホッパ構造。
【考案の詳細な説明】
【技術分野】
【０００１】
本考案は、複数の構成部材を装着してホッパを構成するホッパ構造に関する。
【背景技術】
【０００２】
精米機等には、ホッパが設けられている。このホッパは、一般に、複数の構成板が溶接によって装着されて漏斗状に構成されている。
【０００３】
このホッパには、上面開口から内周面及び底面開口を経て、通過物（例えば玄米や白米等の穀物（原料））が通過される。このため、ホッパの内周面には通過物からの付着物（特に糠）が付着する。
【０００４】
しかしながら、このホッパ構造では、ホッパの内周面に構成板と構成板との溶接痕が存在する。この溶接痕は表面がザラザラしているため、ホッパ内周面の溶接痕に付着物がこびり付いた状態に固く付着していまう。これにより、へら等の掃除道具を使用しても、ホッパ内周面の溶接痕からの付着物の除去が困難であり、ホッパの内周面の掃除が困難である。
【０００５】
さらに、このホッパ構造では、複数の構成板が溶接によって離脱不能に装着されている。このため、特にホッパの底部には手が入らず、へら等の掃除道具を使用しても、ホッパの内周面からの付着物の除去が特にホッパの底部において困難であり、ホッパの内周面の掃除が困難である。
【考案の開示】
【考案が解決しようとする課題】
【０００６】
本考案は上記事実を考慮し、ホッパの内周面の掃除を容易にできるホッパ構造を得ることが目的である。
【課題を解決するための手段】
【０００７】
請求項１に記載のホッパ構造は、漏斗状のホッパを構成し、前記ホッパの内周面を構成する内周壁と前記ホッパの前記内周壁よりも外周側の部位を構成する外周部とを有する複数の構成部材と、前記複数の構成部材をそれぞれの前記外周部において装着する装着手段と、を備えている。
【０００８】
請求項２に記載のホッパ構造は、請求項１に記載のホッパ構造において、前記内周壁に前記外周部を引っ掛けて取り付けた、ことを特徴としている。
【０００９】
請求項３に記載のホッパ構造は、請求項１又は請求項２に記載のホッパ構造において、前記内周壁に前記外周部を一体に形成した、ことを特徴としている。
【００１０】
請求項４に記載のホッパ構造は、請求項１乃至請求項３の何れか１項に記載のホッパ構造において、前記装着手段を前記外周部に固定した、ことを特徴としている。
【００１１】
請求項５に記載のホッパ構造は、請求項１乃至請求項４の何れか１項に記載のホッパ構造において、前記外周部に設けられ、前記装着手段が係合される係合部を有する、ことを特徴としている。
【００１２】
請求項６に記載のホッパ構造は、漏斗状のホッパを構成する複数の構成部材と、前記複数の構成部材を装着し、前記複数の構成部材を離脱可能にされた装着手段と、を備えている。
【００１３】
請求項７に記載のホッパ構造は、請求項６に記載のホッパ構造において、前記装着手段は、操作されることで前記複数の構成部材を離脱可能にする、ことを特徴としている。
【００１４】
請求項８に記載のホッパ構造は、請求項１乃至請求項７の何れか１項に記載のホッパ構造において、前記複数の構成部材は、それぞれ前記ホッパの底部を構成する、ことを特徴としている。
【００１５】
請求項９に記載のホッパ構造は、請求項１乃至請求項８の何れか１項に記載のホッパ構造において、前記複数の構成部材は、重ね合わされた状態で前記ホッパの周壁を構成する、ことを特徴としている。
【考案の効果】
【００１６】
請求項１に記載のホッパ構造では、複数の構成部材が漏斗状のホッパを構成しており、各構成部材は、ホッパの内周面を構成する内周壁と、ホッパの内周壁よりも外周側の部位を構成する外周部と、を有している。
【００１７】
ここで、複数の構成部材がそれぞれの外周部において装着手段によって装着されている。このため、ホッパの内周面には構成部材と構成部材との装着部が存在せず、ホッパの内周面の掃除を容易にすることができる。
【００１８】
請求項２に記載のホッパ構造では、内周壁に外周部が引っ掛けられて取り付けられている。このため、ホッパの内周面には内周壁と外周部との溶接部が存在せず、ホッパの内周面の掃除を確実に容易にすることができる。
【００１９】
請求項３に記載のホッパ構造では、内周壁に外周部が一体に形成されている。このため、ホッパの内周面には内周壁と外周部との溶接部が存在せず、ホッパの内周面の掃除を確実に容易にすることができる。
【００２０】
請求項４に記載のホッパ構造では、装着手段が構成部材の外周部に固定されている。このため、ホッパの内周面には装着手段の構成部材への固定部が存在せず、ホッパの内周面の掃除を確実に容易にすることができる。
【００２１】
請求項５に記載のホッパ構造では、装着手段が係合される係合部が構成部材の外周部に設けられている。このため、ホッパの内周面には係合部が存在せず、ホッパの内周面の掃除を確実に容易にすることができる。
【００２２】
請求項６に記載のホッパ構造では、複数の構成部材が漏斗状のホッパを構成しており、複数の構成部材は装着手段によって装着されている。
【００２３】
ここで、装着手段は複数の構成部材を離脱可能にされている。このため、複数の構成部材を離脱することで、ホッパの内周面の掃除を容易にすることができる。
【００２４】
請求項７に記載のホッパ構造では、装着手段が操作されることで、複数の構成部材が離脱可能にされている。このため、複数の構成部材を容易に離脱させることができる。
【００２５】
請求項８に記載のホッパ構造では、複数の構成部材がそれぞれホッパの底部を構成している。このため、複数の構成部材が離脱可能にされた場合には、ホッパの底部を分割できる。これにより、ホッパ底部の内周面を容易に掃除することができ、ホッパの内周面の掃除を確実に容易にすることができる。
【００２６】
請求項９に記載のホッパ構造では、複数の構成部材が重ね合わされた状態でホッパの周壁を構成している。このため、ホッパを通過する通過物が構成部材と構成部材との間から漏れ出ることを抑制できる。
【００２７】
さらに、複数の構成部材が離脱可能にされた場合には、ホッパの構成部材と構成部材との間の部位を容易に掃除することができ、ホッパの掃除を確実に容易にすることができる。
【考案を実施するための最良の形態】
【００２８】
図１には、本考案の実施の形態に係るホッパ構造１０が斜め正面側から見た分解斜視図にて示されており、図２には、ホッパ構造１０が斜め正面側から見た斜視図にて示されている。さらに、図３（Ａ）には、ホッパ構造１０が正面図にて示され、図３（Ｂ）には、ホッパ構造１０が平面図にて示され、図３（Ｃ）には、ホッパ構造１０が右側面図にて示されている。
【００２９】
本実施の形態に係るホッパ構造１０は、構成部材としての金属製板状の正面板１２及び裏面板１４を備えており、正面板１２はホッパ１６の正面側を構成すると共に、裏面板１４はホッパ１６の裏面側を構成している。
【００３０】
正面板１２は、内周壁としての逆台形平板状の正面壁１８と、内周壁としての矩形平板状の一対の内側壁２０と、を有しており、正面壁１８の左右両側に各内側壁２０が一体に形成（成形）されている。各内側壁２０は正面壁１８に対しホッパ１６の裏面側へ垂直に折り曲げられており、各内側壁２０と正面壁１８との接続部分は湾曲されている。
【００３１】
正面板１２は、外周部としての矩形平板状の外壁２２を有しており、外壁２２の上端には断面逆Ｕ字形板状の吊掛部２２Ａが形成されている。吊掛部２２Ａは外壁２２に対してホッパ１６の裏面側（ホッパ１６の内周側）へ折り曲げられており、吊掛部２２Ａが正面壁１８の上端縁中央に吊り掛けられる（引っ掛けられる）ことで、外壁２２が正面壁１８に一体的に取り付けられて正面壁１８と重ね合わされている。外壁２２下側の両角部には、係合部としての断面Ｕ字形板状の引掛部２４が一体に形成されており、各引掛部２４内は外壁２２の中央側へ向けて斜め上方へ開放されている。
【００３２】
裏面板１４は、内周壁としての逆台形平板状の裏面壁２６と、外周部としての矩形平板状の一対の外側壁２８と、を有しており、裏面壁２６の左右両側に各外側壁２８が一体に形成されている。各外側壁２８は裏面壁２６に対しホッパ１６の正面側へ垂直に折り曲げられており、各外側壁２８と裏面壁２６との接続部分は屈曲されている。また、裏面壁２６は、正面板１２の正面壁１８に対し略同一の形状及び大きさにされると共に、各外側壁２８は、ホッパ１６の正面側から裏面側へ向かう方向における幅を、正面板１２の各内側壁２０に対し僅かに短くされている。
【００３３】
裏面板１４の各外側壁２８中央には、装着手段としてのクランプ３０（装着機構）が設けられている。図４に詳細に示す如く、各クランプ３０は平板状の固定部材３２を有しており、固定部材３２は外側壁２８に溶接（例えばスポット溶接）によって固定されている。固定部材３２には断面Ｌ字状の操作部材３６が設けられており、操作部材３６は基端部において固定部材３２に固定された支軸３４に支持されて回動可能にされている。操作部材３６には矩形枠状の引掛部材３８が設けられており、引掛部材３８は、支軸３４よりもホッパ１６の裏面側に、回動可能に支持されている。
【００３４】
各クランプ３０は、引掛部材３８が外壁２２の引掛部２４に引っ掛けられた（係合された）状態で操作部材３６がホッパ１６の裏面側へ回動操作されることで、引掛部材３８が引掛部２４をホッパ１６の裏面側へ引っ張ると共に、操作部材３６のホッパ１６正面側への回動が阻止されて、正面板１２と裏面板１４とを装着しており（組み付けており）、正面板１２の各内側壁２０が、裏面板１４の裏面壁２６に押し付けられて重ね合わされると共に、裏面板１４の各外側壁２８にホッパ１６の内周側において重ね合わされている。これにより、ホッパ１６は、水平断面が矩形の漏斗状にされており、ホッパ１６には、上面開口１６Ａから内周面１６Ｂ及び底面開口１６Ｃを経て、通過物（例えば玄米や白米等の穀物（原料））が通過される。
【００３５】
また、各クランプ３０は、操作部材３６がホッパ１６の正面側へ回動操作されて、引掛部材３８の引掛部２４への引っ掛けが解除されることで、正面板１２と裏面板１４とを離脱可能にされている。
【００３６】
次に、本実施の形態の作用を説明する。
【００３７】
以上の構成のホッパ構造１０では、正面板１２と裏面板１４とがホッパ１６を構成しており、正面板１２は、ホッパ１６の内周面１６Ｂを構成する正面壁１８及び各内側壁２０と、ホッパ１６の正面壁１８よりも外周側の壁を構成する外壁２２と、を有すると共に、裏面板１４は、ホッパ１６の内周面１６Ｂを構成する裏面壁２６と、ホッパ１６の各内側壁２０よりも外周側の壁を構成する各外側壁２８と、を有している。
【００３８】
ここで、正面板１２の外壁２２と裏面板１４の各外側壁２８とが各クランプ３０によって装着されている。このため、ホッパ１６の内周面１６Ｂには正面板１２と裏面板１４との装着部（特に溶接痕）が存在せず、ホッパ１６の内周面１６Ｂに付着した通過物からの付着物（特に糠）を容易に除去することができ、ホッパ１６の内周面１６Ｂの掃除を容易にすることができる。
【００３９】
さらに、正面板１２では、正面壁１８に外壁２２が吊掛部２２Ａにおいて吊り掛けられて取り付けられると共に、裏面板１４では、裏面壁２６に各外側壁２８が一体に形成されている。このため、ホッパ１６の内周面１６Ｂには正面壁１８と外壁２２との溶接部及び裏面壁２６と各外側壁２８との溶接部が存在しない。しかも、各クランプ３０の固定部材３２が裏面板１４の各外側壁２８に溶接されると共に、各クランプ３０の引掛部材３８が引っ掛けられる正面板１２の各引掛部２４が外壁２２に形成されている。このため、ホッパ１６の内周面１６Ｂには、固定部材３２の裏面板１４への溶接痕及び引掛部２４が存在しない。これにより、ホッパ１６の内周面１６Ｂに付着した付着物を確実に容易に除去することができ、ホッパ１６の内周面１６Ｂの掃除を確実に容易にすることができる。
【００４０】
また、各クランプ３０の操作部材３６が回動操作されて、各クランプ３０の引掛部材３８の引掛部２４への引っ掛けが解除されることで、正面板１２と裏面板１４とが離脱される。このため、正面板１２と裏面板１４とを離脱することで、ホッパ１６の内周面１６Ｂに付着した付着物を一層容易に除去することができ、ホッパ１６の内周面１６Ｂの掃除を一層容易にすることができる。
【００４１】
さらに、正面板１２と裏面板１４とがそれぞれホッパ１６の上部から底部を構成しているため、正面板１２と裏面板１４とを離脱することで、ホッパ１６の上部から底部が通過物通過方向の周囲において分割される。これにより、ホッパ１６の上部から底部に亘る内周面１６Ｂに付着した付着物を容易に除去することができ、ホッパ１６の内周面１６Ｂの掃除を一層確実に容易にすることができる。
【００４２】
しかも、正面板１２と裏面板１４とを離脱することで、ホッパ１６における正面板１２の各内側壁２０と裏面板１４の裏面壁２６及び各外側壁２８との間の部位に付着した付着物を容易に除去することができ、ホッパ１６の掃除を一層確実に容易にすることができる。
【００４３】
以上により、へら等の掃除道具を使用しなくても、例えば軍手を使用するのみで、ホッパ１６の内周面１６Ｂを容易に掃除することができる。
【００４４】
また、正面板１２の各内側壁２０と裏面板１４の裏面壁２６及び各外側壁２８とが重ね合わされた状態でホッパ１６の周壁を構成している。このため、ホッパ１６を通過する通過物が正面板１２と裏面板１４との間から漏れ出ることを抑制できる。
【００４５】
さらに、上述の如く各クランプ３０の操作部材３６が回動操作されるのみで、正面板１２と裏面板１４とが離脱される。このため、正面板１２と裏面板１４とを容易に離脱させることができる。
【図面の簡単な説明】
【００４６】
【図１】本考案の実施の形態に係るホッパ構造を示す斜め正面側から見た分解斜視図である。
【図２】本考案の実施の形態に係るホッパ構造を示す斜め正面側から見た斜視図である。
【図３】（Ａ）は、本考案の実施の形態に係るホッパ構造を示す正面図であり、（Ｂ）は、本考案の実施の形態に係るホッパ構造を示す平面図であり、（Ｃ）は、本考案の実施の形態に係るホッパ構造を示す右側面図である。
【図４】本考案の実施の形態に係るホッパ構造における正面板と裏面板との装着部分を示す断面図（図３（Ａ）の４−４線断面図）である。
【符号の説明】
【００４７】
１０    ホッパ構造
１２    正面板（構成部材）
１４    裏面板（構成部材）
１６    ホッパ
１６Ｂ  内周面
１８    正面壁（内周壁）
２０    内側壁（内周壁）
２２    外壁（外周部）
２４    引掛部（係合部）
２６    裏面壁（内周壁）
２８    外側壁（外周部）
３０    クランプ（装着手段）
【図１】
0003109886.tif 000003
【図２】
0003109886.tif 000004
【図３】
0003109886.tif 000005
【図４】
0003109886.tif 000006